(57)【要約】【課題】脚部などの支持体に天板などの回動体が回動可能に支持された什器において、回動体が常に安定した状態で支持体に支持されるとともに、回動体の回動作業を容易に行うことができる什器を提供する。【解決手段】脚部２（支持体）は、第１姿勢となった天板（回動体）に下側から当接する当接面５２２を有し、回動機構４は、脚部２に一端が回動可能に支持されたリンク部７と、天板に形成されリンク部７の他端を延設方向に沿って移動可能に支持するガイド部６１と、を有し、ガイド部６１は、延設方向の一方の端部に位置する第１端と他方の端部に位置する第２端とを有し、第１姿勢となると、ガイド部６１は、水平に延び、リンク部７は、他端が第１端側に位置し、第２姿勢となると、ガイド部６１は、第１端が上側に位置し、第２端が下側に位置し、上下方向に延び、リンク部７は、他端が第２端側に位置する。【選択図】図４
2020069331.tif 000002
【特許請求の範囲】
【請求項１】
支持体と、
前記支持体に第１軸部回りに回動可能に支持された回動体と、
前記回動体を、前記回動体が横臥した第１姿勢と前記回動体が起立した第２姿勢との間で回動させる回動機構と、を有し、
前記支持体は、前記第１姿勢となった前記回動体に下側から当接する当接面を有し、
前記回動機構は、前記支持体に一端が前記第１軸部と平行となるように配された第２軸部回りに回動可能に支持されたリンク部と、
前記回動体に形成され、前記第１軸部および前記第２軸部と直交する延設方向に延び、前記リンク部の他端を前記延設方向に沿って移動可能に支持するガイド部と、を有し、
前記ガイド部は、前記延設方向の一方の端部に位置する第１端と、他方の端部に位置する第２端と、を有し、
前記回動体が前記第１姿勢となると、前記ガイド部は、水平に延び、前記リンク部は、前記他端が前記第１端側に位置し、
前記回動体が前記第２姿勢となると、前記ガイド部は、前記第１端が上側に位置し、前記第２端が下側に位置し、上下方向に延び、前記リンク部は、前記他端が前記第２端側に位置することを特徴とする什器。
【請求項２】
前記回動体が前記第１姿勢および前記第２姿勢の少なくとも一方となった際に、前記リンク部の他端の前記ガイド部に対する前記延設方向への移動を規制する第１ロック部を有することを特徴とする請求項１に記載の什器。
【請求項３】
前記ガイド部は、前記延設方向に沿って形成され、前記リンク部の他端が挿入されて移動可能なガイド溝部を有し、
前記第１ロック部は、前記ガイド溝部から前記延設方向に交差する方向に突出し、前記回動体が前記第１姿勢および前記第２姿勢の少なくとも一方となった際に、前記リンク部の他端が挿入され、前記リンク部の他端の前記延設方向の移動を規制する規制溝部を有することを特徴とする請求項２に記載の什器。
【請求項４】
前記第１ロック部は、前記回動体が前記第１姿勢および前記第２姿勢の少なくとも一方となった際に、前記リンク部の他端を係止して前記リンク部の他端の前記延設方向の移動を規制する規制係止部を有することを特徴とする請求項２に記載の什器。
【請求項５】
前記規制係止部は、前記回動体が前記第２姿勢となった際に、前記ガイド部の第２端に位置する前記リンク部の他端を下側に付勢して前記リンク部の他端の前記ガイド部の第１端側への移動を規制することを特徴とする請求項４に記載の什器。
【請求項６】
前記規制係止部は、前記延設方向に変位することで前記リンク部の他端の係止および解除を切り替え可能に構成されていることを特徴とする請求項４または５に記載の什器。
【請求項７】
前記回動体に設けられ、前記第１姿勢となると前記リンク部および前記ガイド部を収容する収容部を有することを特徴とする請求項１乃至６のいずれか一項に記載の什器。
【請求項８】
前記回動体に設けられ、前記回動体が前記第１姿勢となると前記支持体と係合可能に構成され、前記支持体と係合すると、前記回動体の前記第１軸部回りの回動が規制する第２ロック部を有し、
前記第２ロック部は、前記支持体に下側から当接することで前記支持体と係合することを特徴とする請求項１乃至７のいずれか一項に記載の什器。
【発明の詳細な説明】
【技術分野】
【０００１】
本発明は、什器に関する。
【背景技術】
【０００２】
従来、脚部に支持された天板が脚部に対して回動し、使用時の第１姿勢と、不使用時の第２姿勢とを切り替え可能なテーブルが知られている（例えば、特許文献１および２参照）。特許文献１に開示されたテーブルは、脚部に設けられた支持片の水平軸回りに天板が回動可能に構成され、天板に設けられた係止ピンが第１姿勢および第２姿勢において支持片の係止溝に係止されることで天板の回動を拘束するように構成されている。
【０００３】
特許文献２に開示されたテーブルは、脚部に設けられた水平軸回りに天板が回動可能に構成されるとともに、一方の端部が天板に設けられた軸回りに回動可能で他方の端部が脚部に設けられた鉛直に延びる溝部に沿って摺動可能なリンク部を有している。溝部には、リンク部に設けられたピンを係止可能な凹入部が形成され、天板が第１姿勢および第２姿勢となった際にピンが凹入部に係止されることで天板の回動を拘束するように構成されている。このようなテーブルでは、天板の軸部およびリンク部を介して脚部に支持されている。
【先行技術文献】
【特許文献】
【０００４】
【特許文献１】特許第４５６７８６８号公報
【特許文献２】実用新案登録第２５８８４２９号公報
【発明の概要】
【発明が解決しようとする課題】
【０００５】
しかしながら、特許文献１に開示されたテーブルでは、天板が回動して第１姿勢または第２姿勢となった際に係止溝と離間していた係止ピンが係止溝に入る構成である。このため、係止ピンと係止溝との間に異物が挟まって回動不能とならないように、係止ピンと係止溝とを遮蔽することが行われている。係止ピンと係止溝とを遮蔽する遮蔽部材の小型化を図るためには、係止溝と係止ピンとの距離を小さくする必要があり、係止ピンと係止溝との設計精度を精密にする必要がある。
【０００６】
これに対し、特許文献２に開示されたテーブルでは、リンク部の他端が溝部に沿って移動し、リンク部の他端は常に溝部に挿入されている構成であるため、特許文献１に開示されたテーブルのような離間している部材を回動させて嵌合させるための設計精度は不要となる。
ところで、特許文献２に開示されたテーブルでは、第２姿勢の際に、天板の自重により第２姿勢から第１姿勢へ復帰する方向のモーメントが生じている。また、特許文献２に開示されたテーブルでは、溝部が鉛直方向に延びていて、第２姿勢では、溝部の上端部分にリンク部のピンが位置している。
このため、天板を第２姿勢から第１姿勢にしようとすると、上記のモーメントによりリンク部のピンが溝部に沿って下側に容易に移動することになる。これにより、第２姿勢の天板を第１姿勢とするために第２姿勢に維持するためのロックを解除すると、すぐに天板が回動してしまう虞がある。
【０００７】
そこで、本発明は、脚部などの支持体に天板などの回動体が回動可能に支持された什器において、回動体が常に安定した状態で支持体に支持されるとともに、回動体の回動作業を容易に行うことができる什器を提供することを目的とする。
【課題を解決するための手段】
【０００８】
上記目的を達成するため、本発明に係る什器は、支持体と、前記支持体に第１軸部回りに回動可能に支持された回動体と、前記回動体を、前記回動体が横臥した第１姿勢と前記回動体が起立した第２姿勢との間で回動させる回動機構と、を有し、前記支持体は、前記第１姿勢となった前記回動体に下側から当接する当接面を有し、前記回動機構は、前記支持体に一端が前記第１軸部と平行となるように配された第２軸部回りに回動可能に支持されたリンク部と、前記回動体に形成され、前記第１軸部および前記第２軸部と直交する延設方向に延び、前記リンク部の他端を前記延設方向に沿って移動可能に支持するガイド部と、を有し、前記ガイド部は、前記延設方向の一方の端部に位置する第１端と、他方の端部に位置する第２端と、を有し、前記回動体が前記第１姿勢となると、前記ガイド部は、水平に延び、前記リンク部は、前記他端が前記第１端側に位置し、前記回動体が前記第２姿勢となると、前記ガイド部は、前記第１端が上側に位置し、前記第２端が下側に位置し、上下方向に延び、前記リンク部は、前記他端が前記第２端側に位置することを特徴とする。
【０００９】
本発明では、ガイド部が回動体に形成されていることにより、回動体の回動とともに延設方向が変化し、常に鉛直方向とはならない。これにより、ガイド部の延設方向が常に鉛直方向となる場合と比べて、リンク部の他端の延設方向の移動速度が緩やかになるため、第２姿勢の回動体が急激に回動することがなく、回動体は、常に安定した状態で支持体に支持される。また、回動体は常に支持体に安定した状態に支持されることにより、回動体の回動作業を容易に行うことができる。
また、回動体を支持する第１軸部とリンク部を介して回動体を支持する第２軸部とがともに支持体に平行に設けられていることにより、支持体における回動体を支持する位置が常に同じ２点（第１軸部および第２軸部）となり、回動体が支持体に安定した状態に支持される。第１軸部、第２軸部およびリンク部の他端の３点がなす三角形が、常に２点（第１軸部、第２軸部）の位置が同じ位置となる。
また、支持体は、第１姿勢となった回動体に下側から当接する当接面を有することにより、第１姿勢となった回動体を下側から当接して支持することができる。このため、回動体が第１姿勢となった際に、回動機構に作用する回動体の荷重を低減させることができる。
【００１０】
また、本発明に係る什器では、前記回動体が前記第１姿勢および前記第２姿勢の少なくとも一方となった際に、前記リンク部の他端の前記ガイド部に対する前記延設方向への移動を規制する第１ロック部を有していてもよい。
このような構成とすることにより、回動体を第１姿勢または第２姿勢に維持することができる。
【００１１】
また、本発明に係る什器では、前記ガイド部は、前記延設方向に沿って形成され、前記リンク部の他端が挿入されて移動可能なガイド溝部を有し、前記第１ロック部は、前記ガイド溝部から前記延設方向に交差する方向に突出し、前記回動体が前記第１姿勢および前記第２姿勢の少なくとも一方となった際に、前記リンク部の他端が挿入され、前記リンク部の他端の前記延設方向の移動を規制する規制溝部を有していてもよい。
このような構成とすることにより、リンク部の他端をガイド溝部に沿って移動させることで、リンク部の他端を延設方向に移動させることができ、リンク部の他端を規制溝部に挿入させることでリンク部の他端の延設方向の移動を規制することができる。このように、リンク部の他端の延設方向の移動と規制との切り替えを簡便な構造で容易に行うことができる。
【００１２】
また、本発明に係る什器では、前記第１ロック部は、前記回動体が前記第１姿勢および前記第２姿勢の少なくとも一方となった際に、前記リンク部の他端を係止して前記リンク部の他端の前記延設方向の移動を規制する規制係止部を有していてもよい。
このような構成とすることにより、リンク部の他端の延設方向の移動を確実に規制することができる。
【００１３】
また、本発明に係る什器では、前記規制係止部は、前記回動体が前記第２姿勢となった際に、前記ガイド部の第２端に位置する前記リンク部の他端を下側に付勢して前記リンク部の他端の前記ガイド部の第１端側への移動を規制してもよい。
このような構成とすることにより、リンク部の他端の移動を確実に規制することができ、回動体を第２姿勢に維持することができる。
【００１４】
また、本発明に係る什器では、前記規制係止部は、前記延設方向に変位することで前記リンク部の他端の係止および解除を切り替え可能に構成されていてもよい。
このような構成とすることにより、規制係止部の変位方向をガイド部が延びる方向とすることができるため、規制係止部がガイド部に対して交差する方向に変位する場合と比べて、規制係止部の設置スペースを小さくすることができる。
【００１５】
また、本発明に係る什器では、回動体に設けられ、前記第１姿勢となると前記リンク部および前記ガイド部を収容する収容部を有していてもよい。
このような構成とすることにより、回動体が第１姿勢となった際にリンク部およびガイド部が露出しないため、リンク部およびガイド部に人や物が接触することを防止することができる。
【００１６】
また、本発明に係る什器では、前記回動体に設けられ、前記回動体が前記第１姿勢となると前記支持体と係合可能に構成され、前記支持体と係合すると、前記回動体の前記第１軸部回りの回動が規制する第２ロック部を有し、前記第２ロック部は、前記支持体に下側から当接することで前記支持体と係合するように構成されていてもよい。
このような構成とすることにより、第２ロック部によって回動体を第１姿勢に維持することができる。
【発明の効果】
【００１７】
本発明によれば、脚部などの支持体に天板などの回動体が回動可能に支持された什器において、回動体が常に安定した状態で支持体に支持されるとともに、回動体の回動作業を容易に行うことができる。
【図面の簡単な説明】
【００１８】
【図１】本発明の第１実施形態による什器の第１姿勢となった様子の一例を示す斜視図である。
【図２】本発明の第１実施形態による什器の第２姿勢となった様子の一例を示す斜視図である。
【図３】第１姿勢の回動機構を示す斜視図である。
【図４】第１姿勢の回動機構を示す斜視図である。
【図５】図３のフレームを省略した図である。
【図６】ガイド部の斜視図である。
【図７】操作部の斜視図である。
【図８】図３のＡ−Ａ線断面図である。
【図９】図３のＢ−Ｂ線断面図である。
【図１０】図４のＣ−Ｃ線断面図である。
【図１１】図４のＤ−Ｄ線断面図である。
【図１２】動作中の回動機構を説明する図で幅方向の一方側から見た図である。
【図１３】動作中の回動機構を説明する図で幅方向の他方側から見た図である。
【図１４】動作中の回動機構を説明する図で幅方向の一方側から見た図である。
【図１５】動作中の回動機構を説明する図で幅方向の他方側から見た図である。
【図１６】本発明の実施形態による天板付き什器の第１姿勢となった様子の一例を示す斜視図である。
【図１７】本発明の実施形態による天板付き什器の第２姿勢となった様子の一例を示す斜視図である。
【図１８】図１６の天板本体を省略した斜視図である。
【図１９】図１７の天板本体を省略した斜視図である。
【図２０】図１８のカバー部を省略した斜視図である。
【図２１】天板取付部の斜視図である。
【図２２】天板取付部の他の方向から見た斜視図である。
【図２３】カバー部の下面図である。
【図２４】図２３のＥ−Ｅ線断面図である。
【図２５】リンク部の斜視図である。
【図２６】図１８のＦ−Ｆ線に対応する断面図である。
【図２７】図１９のＧ−Ｇ線に対応する断面図である。
【図２８】図１８のＨ−Ｈ線に対応する断面図である。
【図２９】係止部の斜視図である。
【図３０】係止部の他の方向の斜視図である。
【図３１】可動部の斜視図である。
【図３２】可動部の他の方向の斜視図である。
【図３３】（ａ）は第１規制部の斜視図、（ｂ）は（ａ）のＩ−Ｉ線断面図、（ｃ）は（ａ）のＪ−Ｊ線断面図である。
【図３４】図１６のＫ方向矢視図である。
【図３５】図１６のＬ方向矢視図である。
【図３６】図２８に対応する操作レバーが操作された様子を示す図である。
【図３７】図１９のＭ−Ｍ線に対応する断面図で、第２ピンが規制溝部に入る直前の第２姿勢の直前の様子を示す図である。
【図３８】図１９のＭ−Ｍ線に対応する断面図で、第２ピンが規制溝部に入った第２姿勢の様子を示す図である。
【図３９】図３７に対応する操作レバーが操作された様子を示す図である。
【図４０】図３９の部分拡大図である。
【発明を実施するための形態】
【００１９】
以下、本発明の第１実施形態による什器について、図１乃至図１５に基づいて説明する。
図１に示すように、第１実施形態による什器１は、床に設置される脚部２（支持体）と、脚部２に対して回動可能に支持された天板３（回動体）と、天板３を脚部２に対して回動可能に支持する回動機構４と、を有するテーブルで、天板３の姿勢を切り替え可能に構成されている。
天板３は、平板状の天板本体３１と、天板本体３１の一方の面に設けられた回動部６と、を有している。天板３は、水平方向に延びる回動軸線回りに回動可能で、図１に示す天板本体３１の板面が水平面となる横臥した第１姿勢と、図２に示す天板本体３１の板面が略鉛直面となる起立した第２姿勢と、に切り替え可能に構成されている。回動部６は、天板本体３１における第１姿勢となった際の下面に固定されている。回動部６は、天板本体３１とともに脚部２に対して回動可能に構成されている。
天板３は、第１姿勢となると、その上面で使用者が作業可能な状態となり、第２姿勢となると使用者が使用できない状態となる。天板３は、例えばテーブルを収納する際に第２姿勢となるように設計されている。
【００２０】
天板３の回動軸線が延びる方向を幅方向とし、幅方向に直交する水平方向を前後方向とする。図１および図２に示すように、天板３は、第１姿勢から第２姿勢となると、第１姿勢における前後方向の一方側の縁部が上側に向かい、第１姿勢における前後方向の他方側の縁部が下側に向かうように回動する。この前後方向における一方側を前側とし、他方側を後側とする。
以下の部材、機構などの説明では、天板３が第１姿勢であるものとする。
【００２１】
天板本体３１は、板面が長方形となる平板状に形成され、各縁部が幅方向および前後方向に延びる向きに配置されている。
脚部２は、床に設置されるベース部２１と、ベース部２１から上方に延びる脚柱部２２と、脚柱部２２の上端部に固定された支持部５と、を有している。本実施形態の什器１は、１つの脚部２が天板３を支持しており、この１つの脚部２が天板３の板面の中心に接続されている。
支持部５および回動部６の詳細は後述する。
【００２２】
図１−図４に示すように、回動機構４は、支持部５と回動部６との間に設けられ回動部６の回動に追従するリンク部７と、回動部６に設けられリンク部７を前後方向に移動可能に支持するガイド部６１と、回動部６の回動の許容・規制を切り替える操作部６２と、を有している。
【００２３】
図４および図５に示すように、支持部５は、脚柱部２２の上端部に固定される底板部５１と、底板部５１の幅方向の両側に設けられ底板部５１から上方に突出する一対の側壁部５２と、を有している。
底板部５１は、前後方向よりも幅方向に長く、幅方向に対称な形状となっている。底板部５１は、幅方向の中央部が脚柱部２２の上端部に固定されている。
【００２４】
図４に示すように、一対の側壁部５２は、それぞれ壁面が幅方向を向き、前後方向に延びている。一対の側壁部５２は、互いに幅方向に対称な形状となっている。
一対の側壁部５２の上端面５２２は、平坦な水平面となっている。一対の側壁部５２の上端面５２２は、天板３が第１姿勢となると、天板３の回動部６に下側から当接する当接面となっている。以下では、一対の側壁部５２の上端面５２２をそれぞれ当接面５２２と称する。
一対の側壁部５２の後端部は、底板部５１の後端部よりも後側に突出している。一対の側壁部５２の前端部は、底板部５１の前端部と前後方向の位置が揃っている。一対の側壁部５２の前端部分における下部側には、前側、下側および幅方向の外側（一対の側壁部５２が互いに離間する側）に開口する切り欠き部５２１が形成されている。一対の側壁部５２には、切り欠き部５２１の上部に位置し、下側の切り欠き部５２１を向く下向き面５２１ａが形成されている。
【００２５】
一対の側壁部５２には、回動部６を回動可能に支持する第１軸部５３と、リンク部７を回動可能に支持する第２軸部５４と、が設けられている。
第１軸部５３は、一対の側壁部５２それぞれの後端部近傍で底板部５１よりも後側に突出している部分に取り付けられている。第１軸部５３は、軸線５３１が幅方向に延びる向きで側壁部５２を貫通するように設けられている。一対の側壁部５２それぞれに設けられた第１軸部５３は、同軸となっている。
【００２６】
第２軸部５４は、一対の側壁部５２それぞれの前後方向の中間部分で第１軸部５３と間隔をあけた前側に取り付けられている。第２軸部５４は、軸線５４１が幅方向に延びる向きで側壁部５２を貫通するように設けられている。一対の側壁部５２それぞれに設けられた第２軸部５４は、同軸となっている。第１軸部５３と第２軸部５４とは、それぞれの軸線５３１，５４１が同じ高さに平行に配置されている。
【００２７】
図６に示すように、ガイド部６１は、断面形状がＬ字形状となる長尺の部材で、前後方向に延びる向きで天板本体３１（図１参照）の下面に固定されている。図３および図５に示すように、ガイド部６１は、幅方向に間隔をあけて２つ設けられている。
２つのガイド部６１は、幅方向に対称となる形状に形成されている。図６は、２つのガイド部６１のうちの幅方向の一方側に配置されるガイド部６１を示している。
【００２８】
ガイド部６１は、断面形状のＬ字形の一方の片となる第１板部６１１と、他方の片となる第２板部６１２と、を有している。ガイド部６１は、第１板部６１１が天板本体３１の下面と面接触し、第２板部６１２が第１板部６１１の幅方向の内側（２つのガイド部６１が対向する側）から下側に突出する向きで天板本体３１に固定されている。
第１板部６１１には、ガイド部６１を天板本体３１に固定するネジなどの固定具が挿通される孔部が形成されている。
【００２９】
天板本体３１に固定された２つのガイド部６１の間隔は、２つの側壁部５２の間隔よりもやや小さく設定されている。天板３が第１姿勢となると、２つのガイド部６１それぞれの第１板部６１１が側壁部５２の上に配置され、２つのガイド部６１それぞれの第２板部６１２が側壁部５２の幅方向の内側の面に沿って配置される。天板３が第１姿勢となると、２つのガイド部６１は、それぞれ第１軸部５３よりも前側で第２軸部５４と幅方向に隣り合う位置に配置される。
【００３０】
第２板部６１２には、幅方向に貫通し前後方向に延びる溝部６４が形成されている。
溝部６４は、前側に位置し前後方向に直線状に延びる第１直線溝部６４１と、第１直線溝部６４１の後端部から後側に向かって漸次下側に向かう斜め方向に延びる第１傾斜溝部６４２と、第１傾斜溝部６４２の下端部から後側に直線状に延びる第２直線溝部６４３と、第２直線溝部６４３の後端部から後側に向かって漸次上側に向かう斜め方向に延びる第２傾斜溝部６４４と、を有している。
【００３１】
第１傾斜溝部６４２、第２直線溝部６４３および第２傾斜溝部６４４は、上側に開口するＣ字形を描くように配置されている。第２板部６１２における、第１傾斜溝部６４２、第２直線溝部６４３および第２傾斜溝部６４４に囲まれ、下側に突出する部分を突出板部６４７とする。また、第２板部６１２における、第２傾斜溝部６４４よりも後側の部分を後板部６４８とする。
溝部６４には、リンク部７の第２ピン（後述する）が挿入され、溝部６４に沿って第２ピンが移動するように構成されている。
【００３２】
溝部６４のうちの、第１直線溝部６４１、第１傾斜溝部６４２、第２直線溝部６４３は、天板３が回動する際に第２ピンが移動するガイド溝部６４５を構成し、第２傾斜溝部６４４は、第２ピンが挿入されると第２ピンの前後方向に移動を規制する規制溝部６４６を構成されている。本実施形態では、ガイド溝部６４５の前端部６４５ａが本発明のガイド部の第１端に相当し、規制溝部６４６が本発明のガイド部の第２端に相当している。
本実施形態では、ガイド溝部６４５の後部側（第１傾斜溝部６４２および第２直線溝部６４３）が、前部側（第１直線溝部６４１）よりも下側に位置していることにより、第１直線溝部６４１がガイド部６１の第２板部６１２に対して上下方向の中央に形成されている場合でも、ガイド溝部６４５の後端部から上方に斜めに延びる規制溝部６４６の上下方向の寸法を大きく確保することができる。
【００３３】
ガイド部６１の第１直線溝部６４１が延びる方向を延設方向とする。延設方向は、天板３が第１姿勢となると前後方向となり、天板３が第２姿勢となると上下方向となる。延設方向は、天板３の回動とともに、前後方向から略上下方向、または上下方向からほぼ前後方向に変化する。本実施形態では、延設方向は、天板３がいずれの姿勢であっても天板（天板本体）３に沿った方向となっている。
【００３４】
ガイド部６１には、第１板部６１１と第２板部６１２との接続部分における前後方向の中間部に前後方向に延びる操作部規制溝部６１３が形成されている。操作部規制溝部６１３は、後述する操作部６２の突出片６６５が挿入され、操作部６２の前後方向の変位を規制するように構成されている。
【００３５】
図５に示すように、操作部６２は、ガイド部６１に対して前後方向に移動可能な本体部６５と、本体部６５をガイド部６１に対して後側に付勢する付勢部６２１と、を有している。
図７に示すように、本体部６５は、前後方向に延びて幅方向に間隔をあけて設けられる一対の前後延設部６６と、一対の前後延設部６６の前端部どうしを連結する連結部６７と、を有している。
一対の前後延設部６６は、互いに幅方向に対称に形成されている。
【００３６】
前後延設部６６は、長尺の平板状に形成され、前後方向に延びて板面が水平面となる向きに配置される上板部６６１と、上板部６６１の幅方向の内側の縁部全体から下側に延びて板面が幅方向を向く側板部６６２と、上板部６６１の前後方向の中間部において幅方向の外側の縁部領域から下側に突出する下側突出部６６３と、を有している。側板部６６２と下側突出部６６３とは、幅方向に離間している。
【００３７】
上板部６６１は、前後方向の中間部分がその前側および後側よりも幅方向の外側に突出している。上板部６６１の幅方向の内側の縁部は、前後方向に直線状に延びている。
上板部６６１における前後方向の中間部分を拡幅部６６４とする。上板部６６１における拡幅部６６４よりも前側の部分は、前後方向の全体にわたって同じ幅寸法に形成されている。
【００３８】
上板部６６１における拡幅部６６４よりも後側の部分は、前後方向の全体にわたって同じ幅寸法に形成されている。上板部６６１における拡幅部６６４よりも後側の部分は、拡幅部６６４よりも前側の部分よりも小さい幅寸法に形成されている。上板部６６１における拡幅部６６４よりも後側の部分には、その前後方向の中間部に上方に突出する突出片６６５が設けられている。突出片６６５の前後方向の寸法は、操作部規制溝部６１３の前後方向の長さ寸法よりも小さく設定されている。
突出片６６５は、操作部規制溝部６１３に挿入された状態で、操作部規制溝部６１３の前後方向の長さ範囲で前後方向に変位可能に構成されている。
【００３９】
側板部６６２は、後部側に、下側に突出する第１突出部６６６（第１ロック部、規制係止部）および第２突出部６６７が設けられている。第１突出部６６６は、第２突出部６６７よりも前側に配置されている。
側板部６６２の下縁部は、第１突出部６６６よりも前側の部分で前後方向に直線状に延びる第１直線縁部６８１と、第１直線縁部６８１の後端部から後側に向かって漸次下側に延びる第１傾斜縁部６８２と、第１傾斜縁部６８２の下端部から後側に延びる第２直線縁部６８３と、第２直線縁部６８３の後端部から上側かつ後側となる位置に向かって外側に湾曲して延びる湾曲縁部６８４と、湾曲縁部６８４の後端部から後側に向かって漸次下側に延びる第２傾斜縁部６８５と、第２傾斜縁部６８５の下端部から後側に直線状に延びる第３直線縁部６８６と、を有している。
第１突出部６６６は、第１傾斜縁部６８２、第２直線縁部６８３および湾曲縁部６８４に囲まれている。第１突出部６６６は、第２傾斜縁部６８５、第３直線縁部６８６および側板部６６２の後縁部に囲まれている。
【００４０】
図５に示すように、下側突出部６６３の下端部には、後側に延びる第２ロック部６９が取り付けられている。第２ロック部６９は、天板３が第１姿勢となった際に、支持部５の側壁部５２の切り欠き部５２１に挿入可能に構成されている。第２ロック部６９は、切り欠き部５２１に挿入されると、一対の側壁部５２の下向き面５２１ａ（切り欠き部５２１の上部に位置し、下側の切り欠き部５２１向く面）に下側から当接するように構成されている。
第２ロック部が切り欠き部５２１に挿入され、下向き面５２１ａに下側から当接すると、操作部６２は上方に移動できず、操作部６２と固定された天板３が第１姿勢に維持されるように構成されている。
【００４１】
連結部６７は、幅方向に延びる長尺に形成され、幅方向の両端部それぞれに前後延設部６６が連結されている。連結部６７の幅方向の中間部には、後方かつ下方に突出し、作業者が手をかけることができる手掛け部６７２が設けられている。
【００４２】
図５に示すように、操作部６２は、一対の前後延設部６６のうちの幅方向の一方側の前後延設部６６が、幅方向の一方側のガイド部６１の第１板部６１１の下側かつ第２板部６１２の幅方向一方側に重なって配置され、幅方向の他方側の前後延設部６６が、幅方向の他方側のガイド部６１の幅方向の第１板部６１１の下側かつ第２方向の幅方向の他方側に重なって配置されている。
【００４３】
操作部６２の突出片６６５は、ガイド部６１の操作部規制溝部６１３に挿入されている。上述したように、突出片６６５は、操作部規制溝部６１３に挿入された状態で、操作部規制溝部６１３の前後方向の長さ範囲で前後方向に変位可能に構成されている。このため、操作部６２の本体部６５のガイド部６１に対する前後方向の移動範囲は、操作部規制溝部６１３に挿入された突出片６６５の前後方向の移動範囲に相当している。
【００４４】
操作部６２の本体部６５は、付勢部６２１によってガイド部６１に対して後方に付勢されているため、通常時は、突出片６６５が規制溝部６４６の後端部分に配置されている。そして、手掛け部６７２を把持して本体部６５をガイド部６１に対して前側に引っ張ることにより、ガイド部６１に対して本体部６５が前側に移動する。本体部６５は、突出部が規制溝部６４６の前端部と当接する位置まで、前側に移動する。
本体部６５が後側に付勢されている状態を非操作状態とし、本体部６５が前側に引き寄せられている状態を操作状態とする。
【００４５】
図８および図９に示すように、前後延設部６６の側板部６６２は、ガイド部６１の溝部６４の上方に位置している。図８−図１５では、支持部５の底板部５１および側壁部５２、回動部６のフレーム部６３を説明のため省略している。
操作状態および非操作状態のいずれの状態においても、前後延設部６６の側板部６６２は、ガイド溝部６４５とは幅方向に重ならず、規制溝部６４６とは部分的に幅方向に重なっている。
側板部６６２における第１突出部６６６よりも前側の部分は、ガイド溝部６４５の上方に位置している。
【００４６】
側板部６６２の第１突出部６６６は、ガイド溝部６４５の第２直線溝部６４３の上側かつ規制溝部６４６の前側に位置している。第１突出部６６６は、非操作状態では、後縁部分以外がガイド部６１の第２板部６１２の突出板部６４７（第２板部６１２におけるガイド溝部６４５の第２直線溝部６４３の上側かつ規制溝部６４６の前側の部分）と幅方向に重なる位置に配置され、後縁部分のみが規制溝部６４６側に突出している。第１突出部６６６は、非操作状態では、操作状態よりもガイド部６１に対して前側に移動するため、全体がガイド部６１の第２板部６１２の突出板部６４７と幅方向に重なり、規制溝部６４６側に突出していない。
【００４７】
側板部６６２の第２突出部６６７は、規制溝部６４６の後側に位置している。第２突出部６６７は、非操作状態では、ガイド部６１の第２板部６１２の後板部６４８（第２板部６１２における、第２傾斜溝部６４４よりも後側の部分）と幅方向に重なる位置に配置されている。第２突出部６６７は、非操作状態では、操作状態よりもガイド部６１に対して前側に移動するため、後側部分がガイド部６１の第２板部６１２の後板部６４８と幅方向に重なり、前側部分が規制溝部６４６側に突出している。
【００４８】
前後延設部６６の側板部６６２は、操作状態となると、ガイド部６１に対して前側に移動する。そして、第１突出部６６６は、第２直線溝部６４３の上方で、規制溝部６４６と幅方向に重ならない位置に配置される。第２突出部６６７は、前側部分が規制溝部６４６と幅方向に重なる位置に配置される。
【００４９】
図３および図４に示すように、回動部６は、ガイド部６１、操作部６２およびリンク部７を収容するフレーム部６３を有している。
フレーム部６３は、四方枠状に形成され、前側に配置され幅方向に延びる前枠部６３１と、後側に配置され幅方向に延びる後枠部６３２と、前枠部６３１の幅方向の両端部と後枠部６３２の幅方向の両端部とを接続し前後方向に延びる一対の横枠部６３３と、を有している。
【００５０】
前枠部６３１には、幅方向に延びて、上方に開口する前枠溝部６３１ａが形成されている。後枠部６３２には、幅方向に延びて、上方に開口する後枠溝部６３２ａが形成されている。一対の横枠部６３３には、前後方向に延びて、上下方向に貫通する横枠溝部（収容部）６３３ａが形成されている。
前枠溝部６３１ａの幅方向の両端部は、それぞれ横枠溝部６３３ａの前端部と連続していて、前枠溝部６３１ａの内部と一対の横枠溝部６３３ａの内部とは連通している。
【００５１】
前枠溝部６３１ａの内部には、操作部６２の連結部６７が配置され、横枠部６３３の内部には、ガイド部６１と操作部６２の前後延設部６６が配置されている。
フレーム部６３は、一対の横枠部６３３がそれぞれガイド部６１に固定されている。フレーム部６３は、操作部６２を前後方向に移動可能に支持している。
一対の横枠部６３３は、それぞれ第１軸部５３に連結されている。これにより、天板３および回動部６が第１軸部５３の軸線５３１回りに回動可能に構成されている。
【００５２】
一対の横枠溝部６３３ａの内部には、ガイド部６１が配置されている。また、一対の横枠溝部６３３ａの内部には、天板３が第１姿勢となると、ガイド部６１とともにリンク部７および支持部５の側壁部５２の上部側も挿入される。天板３が第１姿勢となると、側壁部５２の当接面（上端面）５２２は、一対の横枠溝部６３３ａの内部においてガイド部６１の第１板部６１１の下面と当接している。
ガイド部６１の第１板部６１１は、天板本体３１の下面と当接しているため、天板３が第１姿勢となると、側壁部５２の当接面（上端面）５２２は、一対の横枠溝部６３３ａの内部においてガイド部６１の第１板部６１１を介して天板本体３１と当接している。
【００５３】
図８−図１１に示すように、リンク部７は、長尺の平板状に形成されたリンク板部７１と、リンク板部７１の長さ方向の一方の端部に設けられた第１ピン７２（一端）と、リンク板部７１の長さ方向の他方の端部に設けられた第２ピン７３（他端）と、を有している。
リンク部７は、幅方向に間隔をあけて２つ設けられている。
【００５４】
幅方向の一方側に配置されたリンク部７は、リンク板部７１が幅方向の一方側のガイド部６１の第１板部６１１の下側において、ガイド部６１の第２板部６１２および操作部６２の側板部６６２の幅方向の一方側に配置され、第２ピン７３が幅方向の他方側に突出し、ガイド部６１のガイド溝部６４５に挿入されるとともに操作部６２の側板部６６２の下側に配置されている。
幅方向の他方側に配置されたリンク部７は、リンク板部７１が幅方向の他方側のガイド部６１の第１板部６１１の下側において、ガイド部６１の第２板部６１２および操作部６２の側板部６６２の幅方向の他方側に配置され、第２ピン７３が幅方向の一方側に突出し、ガイド部６１のガイド溝部６４５に挿入されるとともに操作部６２の側板部６６２の下側に配置されている。
【００５５】
第１ピン７２は、第２軸部５４に同軸に連結されている。これにより、リンク部７は、第２軸部５４の軸線５４１回りに回動可能に構成されている。リンク部７は、第２軸部５４の軸線５４１回りに回動することによって第２ピン７３がガイド部６１の溝部６４に沿って延設方向に移動する。
【００５６】
図１、図３に示す第１姿勢では、天板３が横臥状態となり、ガイド部６１が前後方向に延びる向きに配置される。上述しているが、第１姿勢では、ガイド部６１は、第１軸部５３よりも前側で第２軸部５４と幅方向に隣り合う位置に配置されている。
天板３が第１姿勢となった際の延設方向の前側を延設方向の一方側とし、天板３が第１姿勢となった際の延設方向の後側を延設方向の他方側とする。このとき、図８、図９に示すように、リンク部７は、第１ピン７２よりも第２ピン７３が前側となるように水平の姿勢となり、第１ピン７２は第２軸部５４に支持され、第２ピン７３がガイド部６１の溝部６４の延設方向の一方側の端部近傍である第１直線溝部６４１の前端部に配置されている。
第１姿勢では、操作部６２が後側に付勢され、第２ロック部６９が支持部５の切り欠き部５２１に前側から挿入され、側壁部５２の下向き面５２１ａに下側に配置されている。これにより、回動部６（天板３）は、支持部５に対して第１軸部５３よりも前側が上側に向かうように回動しようとすると、第２ロック部６９が側壁部５２の下向き面５２１ａと当接し、天板３の回動が拘束されて、天板３が第１姿勢に維持される。
【００５７】
図２、図４に示す第２姿勢では、天板３が起立状態となり、ガイド部６１が上下方向に延び、ガイド溝部６４５が規制溝部６４６（第２傾斜溝部６４４）の上側となる向きに配置される。このとき、図１０、図１１に示すように、リンク部７は、第２ピン７３が第１ピン７２の上方および後方に位置するように斜めの姿勢となり、第１ピン７２が第２軸部５４に支持され、第２ピン７３がガイド部６１の溝部６４の下端部に位置する規制溝部６４６に配置されている。
【００５８】
第２姿勢では、操作部６２の前後延設部６６が上下方向に延び、連結部６７が前後延設部６６の上側に配置されている。
第２姿勢では、操作部６２が下側に付勢され、操作部６２の第１突出部６６６が第２ピン７３を下側に付勢している。このとき、第１突出部６６６の湾曲縁部６８４が第２ピン７３の側面に沿って当接している。これにより、第２ピン７３が規制溝部６４６から抜け出せない状態となり、天板３が第２姿勢に固定された状態となっている。
【００５９】
天板３を、第１姿勢から第２姿勢とするには、操作部６２を前側に移動させ、第２ロック部６９を切り欠き部５２１の前側に移動させ天板３が回動可能な状態とする。天板３の前端部を上方に持ち上げるようにして天板３を回動させる。第２ロック部６９が切り欠き部５２１から外れ、天板３の回動によって支持部５の側壁部５２の上側まで移動したら、操作部６２の操作を解除する。
続いて、天板３を上方に回動させる。
リンク部７は、回動部６が回動移動することで第２軸部５４を中心に回動し、第２ピン７３がガイド部６１の溝部６４を延設方向の一方側から他方側に向かって移動する。
まず、天板３が第１姿勢から第２姿勢に向かって回動すると、図１２および図１３に示すように、リンク部７の第２ピン７３が第１直線溝部６４１に沿って延設方向の他方側に移動する。
さらに天板３が回動すると、図１４および図１５に示すように、リンク部７の第２ピン７３がさらに延設方向の他方側に移動し、第１直線溝部６４１から第１傾斜溝部６４２を通って、第２直線溝部６４３に入り込んだ状態となる。
【００６０】
さらに天板３が回動して第２姿勢となると、図１０および図１１に示すように、リンク部７の第２ピン７３がさらに延設方向の他方側に移動し、第２直線溝部６４３から規制溝部６４６に入り込む。このとき、規制溝部６４６は、操作部６２の側板部６６２の第１突出部６６６の下縁部と幅方向に重なっている。このため、第２ピン７３は、第１突出部６６６の下縁部と当接し、第１突出部６６６（操作部６２）を上側に移動させるようにして規制溝部６４６に入り込む。
このとき、ガイド部６１は、上下方向に延びる姿勢となり、溝部６４の延設方向も上下方向となっている。溝部６４は、第２傾斜溝部６４４が下端部に位置している。第２ピン７３が規制溝部６４６に入り込むと、操作部６２は下側に付勢されるため、操作部６２の第１突出部６６６が規制溝部６４６に入り込んだ第２ピン７３を下側に押し付けることになる。これにより、リンク部７の第２ピン７３の延設方向の移動が停止する。これにより、リンク部７の移動が規制され、天板３が第２姿勢に維持される。
【００６１】
天板３を、第２姿勢から第１姿勢とするには、操作部６２を上側に移動させ、第１突出部６６６による第２ピン７３の拘束を解除する。また、操作部６２が上側に移動することにより、第２突出部６６７の第２傾斜縁部６８５が第２ピン７３に下側から当接し、第２ピン７３をガイド部に対し上側かつ前側に移動させようとする。これにより、第２ピン７３が規制溝部６４６からガイド溝部６４５に入り込み、ガイド溝部６４５を移動可能な状態となる。第２ピン７３がガイド溝部６４５を移動可能な状態となったら、操作部６２の操作を解除する。
【００６２】
続いて、天板３を下側に回動させる。
リンク部７は、回動部６が回動移動することで第２軸部５４を中心に回動し、第２ピン７３がガイド溝部６４５を延設方向の他方側から一方側に向かって移動する。第２ピン７３は、天板３が第１姿勢に向かうに従って、ガイド溝部６４５の第２直線溝部６４３、第１傾斜溝部６４２、第１直線溝部６４１の順にガイド溝部６４５の前端部６４５ａ近傍まで移動する。
天板３が第１姿勢になると、操作部６２の第２ロック部６９が支持部５の側壁部５２の前端面と当接するが、側壁部５２の前端面は後側から前側に向かって下側に向かうテーパ面に形成されているため、第２ロック部６９の先端部が側壁部５２の前端面に沿って移動し、側壁部５２の下部側に位置したら切り欠き部５２１に入り込んだ状態となる。
これにより、回動部の回動が拘束され、天板３が第１姿勢に維持される。
【００６３】
次に、上述した第１実施形態による什器１の作用・効果について図面を用いて説明する。
上述した第１実施形態による什器１では、ガイド部６１が天板３に設けられていることにより、天板３の回動とともに延設方向が変化し、常に鉛直方向とはならない。これにより、ガイド部６１の延設方向が常に鉛直方向となる場合と比べて、リンク部７の第２ピン７３の延設方向の移動速度が緩やかになるため、第２姿勢の天板３が急激に回動することがなく、天板３は、常に安定した状態で脚部２に支持される。また、天板３は常に脚部２に安定した状態に支持されることにより、天板３の回動作業を容易に行うことができる。
また、回動体を支持する第１軸部とリンク部７を介して回動体を支持する第２軸部とがともに脚部２に平行に設けられていることにより、脚部２における回動体を支持する位置が常に同じ２点（第１軸部５３および第２軸部５４）となり、天板３が脚部２に安定した状態に支持される。第１軸部５３、第２軸部５４およびリンク部７の第２ピン７３の３点がなす三角形が、常に２点（第１軸部５３、第２軸部５４）の位置が同じ位置となる。
【００６４】
また、回動機構４は、第１軸部５３、第２軸部５４およびリンク部７は、支持部５と回動部６とを常に接続する構成であるため、支持部５と回動部６との間に天板３が第１姿勢となった場合と第２姿勢となった場合とで接続と離間とが切り替わる部材を設ける回動機構４と比べて、設計精度に余裕を持たせることができる。
また、ガイド部６１を、その延設方向が例えば、天板３の面に沿った方向となるように設置することにより、ガイド部６１が天板３の面から突出するように設置されている場合と比べて什器の小型化を図ることができる。
【００６５】
また、脚部２（支持部５）は、第１姿勢となった天板３にガイド部６１の第１板部６１１を介して下側から当接する当接面５２２を有することにより、第１姿勢となった天板３を下側から支持することができる。このため、天板３が第１姿勢となった際に、回動機構４に作用する天板３の荷重を低減させることができる。
【００６６】
また、什器１は、天板３が第２姿勢となった際に、リンク部７の第２ピン７３を係止し、第２ピン７３のガイド部６１に対する延設方向への移動を規制する第１突出部６６６（第１ロック部、規制係止部）を有していることにより、天板３を第２姿勢に維持することができる。
【００６７】
また、第１突出部６６６は、天板３が第２姿勢となった際に、規制溝部６４６（ガイド部６１の第２端）に位置するリンク部７の第２ピン７３を下側に付勢してリンク部７の第２ピン７３のガイド溝部６４５側（ガイド部６１の第１端側）への移動を規制している。このような構成とすることにより、リンク部７の第２ピン７３の移動を確実に規制することができ、天板３を第２姿勢に維持することができる。
【００６８】
また、第１突出部６６６は、延設方向に変位することでリンク部７の第２ピン７３の係止および解除を切り替え可能に構成されている。このような構成とすることにより、第１突出部６６６の変位方向をガイド部６１が延びる方向とすることができるため、第１突出部６６６がガイド部６１に対して交差する方向に変位する場合と比べて、第１突出部６６６および第１突出部６６６が設けられる部材の設置スペースを小さくすることができる。
【００６９】
また、ガイド部６１は、延設方向に沿って形成され、リンク部７の第２ピン７３が挿入されて移動可能なガイド溝部６４５と、ガイド溝部６４５から延設方向に交差する方向に突出し、天板３が第２姿勢となった際に、リンク部７の第２ピン７３が挿入され、リンク部７の第２ピン７３の延設方向の移動を規制する規制溝部６４６を有している。このような構成とすることにより、リンク部７の第２ピン７３をガイド溝部６４５に沿って移動させることで、リンク部７の第２ピン７３を延設方向に移動させることができ、リンク部７の第２ピン７３を規制溝部６４６に挿入させることでリンク部７の第２ピン７３の延設方向の移動を規制することができる。このように、リンク部７の第２ピン７３の延設方向の移動と規制との切り替えを簡便な構造で容易に行うことができる。
【００７０】
また、回動部６（天板３）のフレーム部６３には、第１姿勢となるとリンク部７およびガイド部６１を収容する横枠溝部６３３ａが形成されている。これにより、天板３が第１姿勢となった際にリンク部７およびガイド部６１が露出しないため、リンク部７およびガイド部６１に人や物が接触することを防止することができる。
【００７１】
また、回動部６（天板３）は、第１姿勢となると、支持部５の側壁部５２の切り欠き部５２１に挿入可能に構成され、切り欠き部５２１に挿入されると天板３の回動を規制する第２ロック部６９を有している。これにより、天板３を第１姿勢に維持することができる。
【００７２】
（第２実施形態）
次に、第２実施形態について、添付図面に基づいて説明するが、上述の第１実施形態と同一又は同様な部材、部分には同一の符号を用いて説明を省略し、第１実施形態と異なる構成について説明する。
図１６および図１７に示すように、第２実施形態による什器１Ｂは、第１実施形態による什器１と、天板、回動機構、支持部および回動部が異なっている。
【００７３】
天板３の天板本体３１には、天板本体３１の上で使用する電子機器のプラグを差し込み可能な電源コンセント３３が取り付けられている。
電源コンセント３３は、天板本体３１に埋め込まれたコンセント部３４と、コンセント部３４に接続されてコンセント部３４に電源を供給する配線３５と、を有している。配線は、天板本体３１の下側に引き出されている。
【００７４】
図１６−図１９に示すように、回動機構４Ｂは、支持部５Ｂと回動部６Ｂとの間に設けられ天板３の回動に追従するリンク部７Ｂと、回動部６Ｂに設けられリンク部７Ｂを前後方向に移動可能に支持するガイド部（溝部６４、図２６参照）と、を有している。
【００７５】
図１８および図１９に示すように、支持部５Ｂは、脚柱部２２の上端部に固定される底板部５１Ｂと、底板部５１Ｂの幅方向の両側に設けられ底板部５１Ｂから上方に突出する一対の側壁部５２Ｂと、を有している。
底板部５１Ｂは、前後方向よりも幅方向に長く、幅方向に対称な形状となっている。底板部５１Ｂは、幅方向の中央部が脚柱部２２の上端部に固定されている。
【００７６】
底板部５１Ｂは、第１姿勢となった天板本体３１とは離間している。底板部５１Ｂには、天板本体３１に取り付けられた電源コンセント３３の配線３５を保持する第１配線保持部３６が設けられている。第１配線保持部３６は、底板部５１Ｂの上部に取り付けられて配線３５を挿通した状態に保持する部材や、底板部５１Ｂを貫通し配線を挿通可能な孔部などである。第１配線保持部３６は、配線３５を移動可能に保持している。これにより、第１配線保持部３６に保持された配線３５は、天板３の回動に追従して移動可能に構成されている。
第１配線保持部３６に保持された配線３５は、脚柱部２２を伝わって床まで延ばされている。脚柱部２２には、配線３５を脚柱部２２に沿った状態に保持する第２配線保持部３７が設けられている。
【００７７】
一対の側壁部５２Ｂは、それぞれ壁面が幅方向を向き、前後方向に延びている。一対の側壁部５２Ｂは、互いに幅方向に対称な形状となっている。
側壁部５２Ｂの上端面５２２は、平坦な水平面となっている。側壁部５２Ｂの上端面５２２は、天板３が第１姿勢となると、天板３に下側から当接する当接面となっている。
側壁部５２Ｂの後端面５２３は、底板部５１Ｂの後端部よりも後側に突出している。側壁部５２Ｂの前端面５２４は、底板部５１Ｂの前端部よりもやや前側に突出している。側壁部５２Ｂの前端面５２４は、高さ方向の中間部がその上下の部分よりも前側に張り出す円弧面となっている。
【００７８】
図１９に示すように、側壁部５２Ｂの前端部分における下部側には、幅方向の中間部に前側および下側に開口する切り欠き部５２１Ｂが形成されている。側壁部５２Ｂの前端面５２４における切り欠き部５２１Ｂの上側は、上述したように円弧面に形成され、他の切り欠き部が形成されていない。側壁部５２Ｂの前端面５２４における切り欠き部５２１Ｂの上側の部分を前側円弧面５２５とする。
なお、側壁部５２Ｂの前端面５２４における切り欠き部５２１Ｂの上側は、切り欠き部など凹部が形成されていても、その凹部が塞がれていて円弧面が形成されている。
【００７９】
側壁部５２Ｂには、回動部６Ｂを回動可能に支持する第１軸部５３と、リンク部７Ｂを回動可能に支持する第２軸部５４と、が設けられている。
第１軸部５３は、一対の側壁部５２Ｂそれぞれの後端部近傍で底板部５１Ｂよりも後側に突出している部分に取り付けられている。第１軸部５３は、軸線５３１が幅方向に延びる向きで側壁部５２Ｂを貫通するように設けられている。一対の側壁部５２Ｂそれぞれに設けられた第１軸部５３は、同軸となっている。
【００８０】
第２軸部５４は、一対の側壁部５２Ｂそれぞれの前側部分で第１軸部５３と間隔をあけた前側に取り付けられている。第２軸部５４は、軸線５４１が幅方向に延びる向きで側壁部５２Ｂを貫通するように設けられている。一対の側壁部５２Ｂそれぞれに設けられた第２軸部５４は、同軸となっている。第１軸部５３と第２軸部５４とは、それぞれの軸線５３１，５４１が同じ高さに平行に配置されている。
【００８１】
図２０に示すように、回動部６Ｂは、長尺の部材で前後方向に延びる向きで天板本体３１（図１６参照）の下面３１ａに固定されている。回動部６Ｂは、幅方向に間隔をあけて２つ設けられている。幅方向の一方側の回動部６Ｂは、幅方向一方側の側壁部５２Ｂに支持され、幅方向の他方側の回動部６Ｂは、幅方向の他方側の側壁部５２Ｂに支持されている。なお、図２０では、回動部６Ｂを覆うカバー部３２Ｂを省略している。
【００８２】
２つの回動部６Ｂは、幅方向に対称となる形状に形成されている。以下では、２つの回動部６Ｂのうちの幅方向の一方側に配置される回動部６Ｂを説明し、幅方向の他方側に配置される回動部６Ｂの説明を省略する。また、２つの回動部６Ｂをそれぞれ覆う２つのカバー部３２Ｂ、２つの回動部６Ｂのそれぞれの内部に配置される２つの係止部８についても幅方向に対称となる形状に形成されている。以下では、２つのカバー部３２Ｂおよび２つの係止部８のうちの幅方向の一方側に配置されるカバー部３２Ｂおよび係止部８を説明し、幅方向の他方側に配置されるカバー部３２Ｂおよび係止部８の説明を省略する。
【００８３】
図２１および図２２に示すように、回動部６Ｂは、長さ方向（前後方向）に直交する断面形状が下側に開口するコ字形状（Ｃ字形状）となるように形成されている。
回動部６Ｂは、前後方向に延びて天板本体３１に固定される第１回動板部６１Ｂと、第１回動板部６１Ｂの幅方向の他方側の縁部から下側に延びる第２回動板部６２Ｂと、第１回動板部６１Ｂの幅方向の一方側の縁部から下側に延びる第３回動板部６３Ｂと、を有している。
回動部６Ｂには、第１回動板部６１Ｂ、第２回動板部６２Ｂおよび第３回動板部６３Ｂに囲まれた空部６１５が形成されている。
第１回動板部６１Ｂには、例えば、ネジなどの固定具で天板本体３１に固定可能に構成されている。
【００８４】
第２回動板部６２Ｂおよび第３回動板部６３Ｂには、第１軸部５３が挿通される第１孔部６２１Ｂ，６３１Ｂと、第１姿勢となると第２軸部５４が係合し、第２姿勢となると離間する第１切り欠き部６２２Ｂ，６３２Ｂと、が前後方向の中間部に形成されている。第１切り欠き部は、Ｕ字形状で第１姿勢となると下側に開口し、第２姿勢となると際に前側に開口している。第１切り欠き部６２２Ｂ，６３２Ｂは、第１孔部６２１Ｂ，６３１Ｂよりも前側に配置されている。
【００８５】
第２回動板部６２Ｂおよび第３回動板部６３Ｂには、第２姿勢となるとリンク部７Ｂの接続部７１Ｂの上端部（前端部）が挿入される第２切り欠き部６２３Ｂ，６３３Ｂが形成されている。第２切り欠き部６２３Ｂ，６３３Ｂは、Ｖ字形状で第１姿勢となると下側に開口し、第２姿勢となると前側に開口している。第２切り欠き部６２３Ｂ，６３３Ｂは、第１切り欠き部６２２Ｂ，６３２Ｂよりも前側に配置されている。
第２回動板部６２Ｂおよび第３回動板部６３Ｂには、操作手段９の操作ロッド９４が挿通される第２孔部６２４Ｂ，６３４Ｂが前端部近傍に形成されている。
【００８６】
図２０に示すように、回動部６Ｂは、第１姿勢となると、第１回動板部６１Ｂが側壁部５２Ｂの上に配置され、第２回動板部６２Ｂが側壁部５２Ｂの幅方向の他方側の面に沿って配置され、第３回動板部６３Ｂが側壁部５２Ｂの幅方向の一方側の面に沿って配置される。すなわち、第１姿勢となると、回動部６Ｂの内部に側壁部５２の略全体が挿入される。このとき、第２回動板部６２Ｂおよび第３回動板部６３Ｂの第１切り欠き部６２２Ｂ，６３２Ｂに第２軸部５４が挿入された状態となる。
回動部６Ｂは、第２姿勢となると、第１回動板部６１Ｂが側壁部５２Ｂの後に配置され、第２回動板部６２Ｂが側壁部５２Ｂ後側部分の幅方向の他方側の面に沿って配置され、第３回動板部６３Ｂが側壁部５２Ｂの後側部分の幅方向の一方側の面に沿って配置される。すなわち、第２姿勢となると、回動部６Ｂの内部に側壁部５２の後側部分が挿入される。このとき、回動部６Ｂは、第２軸部５４と離間している。
【００８７】
図２２に示すように、第２回動板部６２Ｂには、第１切り欠き部６２２よりも前側に幅方向に貫通し略前後方向（延設方向）に延びる溝部６４Ｂが形成されている。溝部６４Ｂは、第２孔部６２４の後側に連続して設けられている。溝部６４Ｂの溝幅は、第２孔部６２４の径よりもやや小さく設定されている。この溝部６４Ｂは、リンク部７Ｂの第２ピン７３が挿入され、第２ピン７３をガイドするガイド部となっている。
溝部６４Ｂは、前側から後側に向かって緩やかに下側に向かう方向に直線状に延びるガイド溝部６４１Ｂと、ガイド溝部６４１Ｂの後端部から後側に向かって漸次上側に向かう斜め方向に突出する規制溝部６４２Ｂと、を有している。ガイド溝部６４１Ｂと規制溝部６４２Ｂとは、略同じ溝幅に形成されている。
【００８８】
ガイド溝部６４１Ｂが延びる方向は、第１姿勢となると略前後方向となり、第２姿勢となると略上下方向となる。ガイド溝部６４１Ｂが延びる方向は、天板３の回動とともに、第１姿勢の略前後方向から第２姿勢の略上下方向、または第２姿勢の略上下方向から第１姿勢の略前後方向に変化する。なお、ガイド溝部６４１Ｂが延びる方向は、天板本体３１の下面３１ａに略沿った方向となっている。
ガイド溝部６４１Ｂは、天板３が回動する際に第２ピン７３が移動するように構成されている。規制溝部６４２Ｂは、第２ピン７３が挿入されると第２ピン７３の回動部６Ｂに対する移動を拘束するように構成されている。
【００８９】
（カバー部）
図１８および図１９に示すように、カバー部３２Ｂは、回動部６Ｂの幅方向の両側を覆う一対のカバー側板部３２１と、回動部６Ｂの下側覆うカバー下板部３２２と、回動部６Ｂの前側を覆うカバー前板部３２３と、回動部６Ｂの後側を覆うカバー後板部３２４と、を有している。カバー部３２Ｂは、天板本体３１または回動部６Ｂに固定されている。
カバー側板部３２１と回動部６Ｂとの間には、リンク部７Ｂの接続部７１Ｂが配置されている。
カバー側板部３２１には、前端部近傍に上側に開口する切り欠き部３２１ａが形成されている。切り欠き部３２１ａは、回動部６Ｂの第２回動板部６２Ｂおよび第３回動板部６３Ｂに形成された第２孔部６２４Ｂ，６３４Ｂと幅方向に重なる位置に配置されている。切り欠き部３２１ａには、操作手段９の操作ロッド９４が挿通される。
【００９０】
図２３に示すように、カバー下板部３２２には、前後方向の中間部に上下方向に貫通し脚部２の側壁部５２Ｂ（図１８および図１９参照）が挿入されるカバー下方開口部３２５が形成されている。カバー下方開口部３２５は、回動部６Ｂの内部に挿入される側壁部５２が貫通するように構成されている。
カバー下板部３２２には、カバー下方開口部３２５の前側に隣接して第１カバー下板部３２６が形成され、第１カバー下板部３２６よりも前側にカバー前板部３２３と連続する第２カバー下板部３２７が形成されている。第２カバー下板部３２７は、幅方向の両側が一対のカバー側板部３２１それぞれと連続している。
図２３および図２４に示すように、第１カバー下板部３２６は一対のカバー側板部３２連続しておらず、一対のカバー側板部３２１との間にそれぞれ隙間３２８が形成されている。第１カバー下板部３２６は、前縁部のみが第２カバー下板部３２７と接続され、側縁部が一対のカバー側板部３２１と離間し、後縁部がカバー下方開口部３２５に向いている。カバー部３２Ｂは、弾性変形可能に構成されている。第１カバー下板部３２６は、前縁部を軸として上下方向に回動するように撓むことが可能となっている。第１カバー下板部３２６は、脚部２の側壁部５２Ｂと干渉しない位置に配置されている。
【００９１】
カバー部３２は、回動部６Ｂに取り付けられていて、回動部６Ｂとともに第１軸部５３回りに回動するように構成されている。カバー部３２は、第１姿勢となると、回動部６Ｂの内部に挿入される側壁部５２によってカバー下方開口部３２５の全体が塞がれる。カバー部３２は、第２姿勢となると回動部６Ｂの内部に挿入される側壁部５２の後側部分によってカバー下方開口部３２５の後部側（第２姿勢における下部側）が塞がれる。第２姿勢では、カバー下方開口部３２５の前部側（第２姿勢における上部側）は、側壁部５２に塞がれていない。
【００９２】
（リンク部）
図２０および図２５に示すように、リンク部７Ｂは、断面形状が上側に開口するコ字形状（Ｃ字形状）となる長尺に形成された接続部７１Ｂと、接続部７１Ｂの長さ方向の一方の端部に設けられた第１ピン７２（一端）と、接続部７１Ｂの長さ方向の他方の端部に設けられた第２ピン７３（他端）と、を有している。
リンク部７Ｂは、幅方向に間隔をあけて２つ設けられている。２つのリンク部７Ｂは、幅方向に対称となる形状に形成されている。以下では、２つのリンク部７Ｂのうちの幅方向の一方側に配置されるリンク部７Ｂを説明し、幅方向の他方側に配置されるリンク部７Ｂの説明を省略する。
【００９３】
接続部７１Ｂは、前後方向に延びて板面が上下方向を向く第１接続板部７１１と、第１接続板部７１１の幅方向の他方側の縁部から上側に延びる第２接続板部７１２と、第１接続板部７１１の幅方向の一方側の縁部から上側に延びる第３接続板部７１３と、を有している。
第１接続板部７１１は、板面が略長方形状に形成されている。
第２接続板部７１２は、第１接続板部７１１よりも前後方向に長く形成され、前縁部が第１接続板部７１１の前縁部よりも前側に位置し、後縁部が第１接続板部７１１の後縁部よりも後側に突出している。
第３接続板部７１３は、第１接続板部７１１よりも前後方向に長く形成され、前縁部が第１接続板部７１１の前縁部とほぼ同じ位置で、後縁部が第１接続板部７１１の後縁部よりも後側に突出している。第３接続板部７１３は、前端部近傍の上部側が切り欠かれている。
【００９４】
第１ピン７２は、第２接続板部７１２および第３接続板部７１３の後縁部近傍を貫通するように設けられている。第１ピン７２は、第１接続板部７１１の後縁部よりも後方に位置している。
第２ピン７３は、第２接続板部７１２の前縁部近傍に設けられている。第２ピン７３は、第２接続板部７１２から幅方向の一方に突出している。
【００９５】
図２０に示すように、リンク部７Ｂは、第２接続板部７１２が回動部６Ｂの第２回動板部６２Ｂの幅方向の他方側に配置され、第３接続板部７１３が第３回動板部６３Ｂの幅方向の一方側に配置され、第１接続板部７１１が第１回動板部６１Ｂの下面と対向し第２回動板部６２Ｂおよび第３回動板部６３Ｂの下側に配置されている。第１姿勢では、接続部７１Ｂは、回動部６Ｂに下側から被さった状態となっている。
【００９６】
幅方向の一方側に配置されたリンク部７Ｂは、第２ピン７３が幅方向の一方側に突出し、回動部６Ｂの溝部６４Ｂに幅方向の他方側から挿入されている。
幅方向の他方側に配置されたリンク部７Ｂは、第２ピン７３が幅方向の他方側に突出し、回動部６Ｂの溝部６４Ｂに幅方向の一方側から挿入されている。
【００９７】
第１ピン７２は、第２軸部５４を構成している。これにより、リンク部７Ｂは、第２軸部５４（第１ピン）の軸線５４１回りに回動可能に構成されている。第２軸部５４は、第１軸部５３と同軸ではないため、リンク部７Ｂと天板３とは互いに異なる挙動の回動となる。
リンク部７Ｂは、第２軸部５４の軸線５４１回りに回動することによって第２ピン７３が溝部６４Ｂのガイド溝部６４１Ｂに沿って延設方向に移動するように構成されている。
【００９８】
図２６に示すように、第１姿勢では、接続部７１Ｂが前後方向に延びる姿勢となり、接続部７１Ｂの第１接続板部７１１がカバー部の第１カバー下板部３２６の下側に重なって配置されている。第１接続板部７１１の前端部７１１ａは、第１カバー下板部３２６と第２カバー下板部３２７との接続部分に配置されている。
【００９９】
第２接続板部７１２および第３接続板部７１３は、カバー部３２Ｂの第１カバー下板部３２６とカバー側板部３２１との隙間３２８から回動部６Ｂとカバー部３２Ｂとの間に挿入されている。
このとき、第２ピン７３は、ガイド溝部６４１Ｂの前端部よりもやや後側となる位置に配置されている。ガイド溝部６４１Ｂにおける第２ピン７３が配置される位置を第１姿勢第２ピン位置６４３Ｂとする。
【０１００】
天板３が第１姿勢から第２姿勢に向かって回動すると、ガイド溝部６４１Ｂに係止された第２ピン７３も天板３とともに移動するため、リンク部７Ｂは、第１ピン７２を中心として回動する。天板３の第１軸部５３と、リンク部７Ｂの第２軸部５４と、は異なる位置に配置されているため、第２ピン７３は、第２軸部５４を中心に回動しながらガイド溝部６４１Ｂを後側（規制溝部６４２Ｂ側）に向かって移動する。
【０１０１】
このとき、リンク部７Ｂの接続部７１Ｂも回動部６Ｂおよびカバー部３２Ｂに対して後側に移動するため、接続部７１Ｂの第１接続板部７１１と第１カバー下板部３２６とが互いに離間する。第１接続板部７１１は、第１姿勢における前端部（第２ピン７３が設けられている側の端部）が第１カバー下板部３２６に沿って移動する。
【０１０２】
図２７に示すように、天板３が第２姿勢となると、第１姿勢第２ピン位置６４３Ｂ（図２６参照）から後側（規制溝部６４２Ｂ側）に移動した第２ピン７３は、規制溝部６４２Ｂまで移動して規制溝部６４２Ｂに挿入される。
第２姿勢では、リンク部７Ｂは、前端部が後端部よりも上側かつ後側となる斜めの姿勢となる。第１接続板部７１１は、第１カバー下板部３２６の下側に隣接し、カバー下方開口部３２５の上部側（第１姿勢における前部側）を覆っている。第１接続板部７１１の上端部７１１ａ（第１姿勢における前端部）は、第２回動板部６２Ｂおよび第３回動板部６３Ｂの第２切り欠き部６２３Ｂ，６３３Ｂに入っている。第２接続板部７１２および第３接続板部７１３は、前側部分のみが回動部６Ｂと幅方向に重なっていて、カバー部３２Ｂと回動部６Ｂとの間に挟まれている。
【０１０３】
図２６−図２８に示すように、係止部８は、回動部６Ｂの空部６１５に配置され回動部６Ｂに固定された固定部８１と、回動部６Ｂの空部６１５に配置され固定部８１に対して移動可能に支持された可動部８２と、を有している。
固定部８１および可動部８２は、回動部６Ｂの空部６１５のうちの第１切り欠き部６２２Ｂ，６３２Ｂよりも前側に配置されている。
【０１０４】
可動部８２は、第２姿勢でリンク部７Ｂの第２ピン７３（図２７参照）を規制溝部６４２Ｂからガイド溝部６４１Ｂに移動させるための移動惹起部８３（図２６、図２７参照）と、第２姿勢で移動惹起部８３に取り付けられ規制溝部６４２Ｂに挿入された第２ピン７３を規制溝部６４２Ｂに押さえる第２ピン押さえ部８４（第１ロック部、図２６、図２７参照）と、移動惹起部８３と連結され第１姿勢で支持部５Ｂの側壁部５２Ｂに形成された切り欠き部５２１Ｂ（図２８参照）に係合可能な係合部材８５（図２８参照）と、を有している。可動部８２は、後述する操作手段９の操作によって前後方向に移動可能に構成されている。
【０１０５】
図２６−図３０を参照し、固定部８１は、回動部６Ｂの第１回動板部６１Ｂ（図２６−図２８参照）の下側に間隔をあけて対向して配置される固定板部８６と、固定板部８６の上部に固定されて可動部８２の移動惹起部８３、第２ピン押さえ部８４およびリンク部７Ｂの第２ピン７３（図２６−図２８参照）の変位方向を規制する第１規制部８７と、固定板部８６の上部に固定されて可動部８２の係合部材８５の変位方向を規制する第２規制部８８と、を有している。図３０に示すように、固定部８１と可動部８２との間には、ばね８１９が設けられていて、可動部８２を後側に付勢している。
【０１０６】
固定板部８６は、回動部６Ｂの第１回動板部６１Ｂと平行に配置される第１固定板部８６１と、第１固定板部８６１の後側の縁部から下側に延びる第２固定板部８６２と、を有している。第１固定板部８６１は、幅方向の両縁部が回動部６Ｂの第２回動板部６２Ｂおよび第３回動板部６３Ｂの下部側に接合されている。本実施形態では、回動部６Ｂおよび固定板部８６は金属で形成されていて、第１固定板部８６１と第２回動板部６２Ｂおよび第３回動板部６３Ｂとは溶接されている。
第１固定板部８６１には、前後方向の中間部で幅方向の他方側に開口部８６３が形成されている。
固定板部８６の上部に固定された第１規制部８７、第２規制部８８および可動部８２は、固定板部８６、第１回動板部６１Ｂ、第２回動板部６２Ｂおよび第３回動板部６３Ｂに囲まれている。
【０１０７】
図３１および図３２に示すように、移動惹起部８３は、第１固定板部８６１の上部に摺動可能に配置されている。移動惹起部８３は、回動部６Ｂの第２回動板部６２Ｂの幅方向の一方側に配置され、第２回動板部６２Ｂに形成された溝部６４の後部側と幅方向に隣接している。溝部６４の後部側とは、ガイド溝部６４１Ｂの後部側と、規制溝部６４２Ｂとを示している。
移動惹起部８３は、前側に配置されて操作手段９の牽引部材９３が連結される連結部８３１と、連結部８３１における幅方向の他方側の後側に接続された本体部８３２と、を有している。
本体部８３２は、幅方向から見た形状が横臥した略Ｊ字形状に形成されていて、第１固定板部８６１に沿って配置される下側本体部８３３と、下側本体部８３３の後側の端部から上側に延びる後側本体部８３４と、後側本体部８３４の上端部から前側に延びる上側本体部８３５と、を有している。下側本体部８３３は上側本体部８３５よりも前後方向に長く、下側本体部８３３の後端部と上側本体部８３５の後端部とは上下方向に重なる位置に配置され、下側本体部８３３の前端部が上側本体部８３５の前端部よりも前側に位置している。
【０１０８】
下側本体部８３３と上側本体部８３５とは上下方向に離間している。本体部８３２には、下側本体部８３３の後側部分の上面、後側本体部８３４の前面、および上側本体部８３５の下面に囲まれて幅方向に貫通し前側に開口する変位惹起溝部８３６が形成されている。変位惹起溝部８３６は、第２回動板部６２Ｂに形成された溝部６４の後部側と幅方向に隣接していて、溝部６４の後部側に係止されている第２ピン７３が幅方向から挿入されるように構成されている。
【０１０９】
下側本体部８３３の上面および上側本体部８３５の下面は、略水平面に形成されている。後側本体部８３４の前面は、下部側８３４ａが下側から上側に向かって漸次後側に向かう後方に張り出す円弧面に形成され、上部側８３４ｂが、下側から上側に向かって漸次前側に向かう傾斜面に形成されている。後側本体部８３４の前面の上部側８３４ｂの傾斜面を第２ピン当接面８３４ｂとする。
【０１１０】
下側本体部８３３には、変位惹起溝部８３６よりも前側部分に上下方向に貫通する孔部８３３ａが形成されていて、孔部８３３ａの内側に第２ピン押さえ部８４が回動可能に配置されている。第２ピン押さえ部８４の回動軸部８４３は幅方向に延び、下側本体部８３３に支持されている。下側本体部８３３には、孔部８３３ａの幅方向の両側の部分に、第２ピン押さえ部８４の突出ピン８４２（図３２参照）が配置される下側に開口する切り欠き部８３３ｂが形成されている。
【０１１１】
第２ピン押さえ部８４は、板状の第２ピン押さえ部本体８４１と、第２ピン押さえ部本体８４１から幅方向の両側に突出する突出ピン８４２と、を有している。
図２６に示すように、第２ピン押さえ部本体８４１は、板面が幅方向を向く向きに配置され、前側に回動軸部８４３が設けられ、回動軸部８４３よりも後側に突出ピン８４２が突設されている。
上述したように、突出ピン８４２は、下側本体部８３３の下側に開口する切り欠き部８３３ｂに配置されている。突出ピン８４２は、切り欠き部８３３ｂの下向き面よりも上側には変位できないように構成されている。
突出ピン８４２は、下側本体部８３３に設けられたばね８４５（図２６および図２７参照）によって上側に付勢されていて、切り欠き部８３３ｂの下向き面に押し付けられている。これにより、第２ピン押さえ部８４は、下側に向かって回動せず、孔部８３３ａに挿入された状態に維持されている。なお、第２姿勢では、ばね８４５によって後側に付勢されている。
【０１１２】
図３２に示すように、第２ピン押さえ部本体８４１は、板面が略扇形状に形成されている、第２ピン押さえ部本体８４１の板面の扇形の中心角は、鋭角となっている。第２ピン押さえ部本体８４１は、上記の中心角に対応する第１角部８４６の近傍に回動軸部８４３が設けられている。第１角部８４６は、Ｒ形状となっている。
第２ピン押さえ部本体８４１は、第１姿勢かつ操作手段９が操作されていない通常状態（ばね８４５に付勢されている状態）で、下側に位置し略前後方向に延びる下縁部８４１ａと、下縁部８４１ａの後端部から上側に向かって後側に張り出すように湾曲して延びる下側後縁部８４１ｂと、下側後縁部８４１ｂの上端部から上側に向かって漸次前側に向かう斜め方向に延びる上側後縁部８４１ｃと、上側後縁部８４１ｃの上端部から前側に延びる上縁部８４１ｄと、上縁部８４１ｄの前端部から前側に向かって漸次下側に向かう斜め方向に延びて下縁部８４１ａと接続される前縁部８４１ｅと、を有している。上側後縁部８４１ｃは、回動軸部８４３を中心とする円弧面に形成されている。
【０１１３】
第２ピン押さえ部本体８４１は、下部側が孔部８３３ａに配置され、上部側が下側本体部８３３よりも上側に突出し変位惹起溝部８３６に配置されている。第２ピン押さえ部本体８４１の上部側は、幅方向から見ると、第２回動板部６２Ｂに形成された溝部６４と重なっている。
第２ピン押さえ部本体８４１の下縁部は、略水平面となり下側本体部８３３の下端部と同じ高さに配置されている。第２ピン押さえ部本体８４１の上縁部は、略水平面となる向きで変位惹起溝部８３６に配置され、上側本体部８３５の下面と間隔をあけて対向している。
第２ピン押さえ部本体８４１の上側後縁部８４１ｃは、下側本体部８３３よりも上側に配置され、後側本体部８３４よりも間隔をあけた前側に配置されている。
【０１１４】
第２ピン押さえ部８４は、第１姿勢で下方に押圧されるとばね８４５を弾性変形させて回動軸部８４３よりも後方が下側に移動し、下部側が下側本体部８３３よりも下側に突出して第１固定板部８６１の開口部８６１ａに配置される。なお、第２ピン押さえ部８４は下側への押圧が解除されると、ばね８４５の復元力により上側に押され、通常状態の位置に戻るように構成されている。
【０１１５】
図２７に示すように、第２ピン押さえ部８４は、第２姿勢となると規制溝部６４２Ｂに挿入された第２ピン７３に上側後縁部８４１ｃ（第２姿勢では後側の上縁部となっている）が前側から当接している。上述したように第２姿勢では、第２ピン押さえ部８４は、ばね８４５によって後側に付勢されているため、第２ピン７３を後側に押圧し、第２ピン７３が前側に移動して規制溝部６４２Ｂから抜け出てガイド溝部６４１Ｂに入り込むことを阻止している。
【０１１６】
図２８および図３１に示すように、係合部材８５は、棒状の部材で前後方向に延びる向きで移動惹起部８３の連結部８３１の幅方向の一方側の部分の後側に接続されている、係合部材８５は、移動惹起部８３の本体部８３２と幅方向に隣接している、係合部材８５の後端部８５ａは、移動惹起部８３の後端部よりも後側に突出している。
【０１１７】
第２規制部８８は、略直方体となるブロック状の部材で、下部側に下側かつ幅方向の内側に開口する前後方向に延びる切り欠き部８８１が形成されている。第２規制部８８は、切り欠き部８８１に係合部材８５が配置されるように、係合部材８５の上側および幅方向の一方側に配置されている。第２規制部８８は、下端部が第１固定板部８６１に固定されていて、係合部材８５と相対移動可能に構成されている。係合部材８５は、切り欠き部８８１および第１固定板部８６１の上面３１ｂに沿って前後方向に移動するように構成されている。第２規制部８８は、係合部材８５が前後方向に移動し、幅方向や上下方向に移動しないようにガイドしている。
【０１１８】
図３０および図３３に示すように、第１規制部８７は、移動惹起部８３（図３０参照）の幅方向の一方側に設けられる第１側板部８７１と、移動惹起部８３の幅方向の他方側に設けられる第２側板部８７２と、移動惹起部８３の上部に設けられる上板部８７３と、移動惹起部８３の連結部８３１の幅方向の一方側の上部および幅方向の一方側に設けられる連結部当接部８７４と、を有している。
【０１１９】
第１側板部８７１は、移動惹起部８３と、第２規制部８８および係合部材８５との間に配置されている。第１側板部８７１および第２側板部８７２は、前端部分が第１固定板部８６１の開口部８６３と上下方向に重なる位置に配置されていて、前端部分に下側に突出していて第１固定板部８６１の開口部８６３に配置される突出部８７１ａ，８７２ａがそれぞれ形成されている。
【０１２０】
突出部８７１ａ，８７２ａは、それぞれ下側に向かって前後方向の寸法が小さくなる先細り形状に形成されている。突出部８７１ａ，８７２ａは、それぞれ前側の前縁部８７１ｂ，８７２ｂが上下方向に延び、後側の後縁部８７１ｃ，８７２ｃが後側から前側に向かって漸次下側に向かうように傾斜していて、前縁部８７１ｂ，８７２ｂの下端部と後縁部８７１ｃ，８７２ｃの下端部とが接続されている。
第１側板部８７１の幅方向の他方側の面および第２側板部８７２の幅方向一方側の面には、前側部分の下部側に下側に開口する略Ｖ字形の溝部８７１ｄ，８７２ｄがそれぞれ形成されている。溝部８７１ｄ，８７２ｄの側面のうちの後部側となる後側面８７１ｅ，８７２ｅは上下方向に延び、前部側となる前側面８７１ｆ，８７２ｆが後側から前側に向かって漸次下側に延びている。
【０１２１】
溝部８７１ｄ，８７２ｄの前側面８７１ｆ，８７２ｆは、突出部８７１ａ，８７２ａの後縁部８７１ｃ，８７２ｃと連続している。溝部８７１ｄ，８７２ｄの前側面８７１ｆ，８７２ｆおよび突出部８７１ａ，８７２ａの後縁部８７１ｃ，８７２ｃは、第２ピン押さえ部８４の突出ピン８４２が沿って移動するように構成されている。この溝部８７１ｄ，８７２ｄの前側面８７１ｆ，８７２ｆおよび突出部８７１ａ，８７２ａの後縁部８７１ｃ，８７２ｃを突出ピンガイド面８７１ｇ，８７２ｇとする。
【０１２２】
第２側板部８７２は、図２２に示す回動部６Ｂの第２回動板部６２Ｂにおける溝部６４Ｂの後部側が形成されている部分と平行に配置されている。上述しているが、溝部６４の後部側とは、ガイド溝部６４１Ｂの後部側と、規制溝部６４２Ｂとを示している。
第２側板部８７２には、溝部６４Ｂの後部側と同じ形状の溝部８７５が溝部６４Ｂと幅方向に重なる位置に配置されている。第２側板部８７２の溝部８７５は、前側に開口している。第２側板部８７２の溝部８７５には、第２回動板部６２Ｂの溝部６４Ｂの後部側を移動する第２ピン７３の先端部が挿入されるように構成されている。
【０１２３】
図２０に示すように、操作手段９は、天板本体３１の下側に配置された操作レバー９１（操作部）と、操作レバー９１と係止部８の可動部８２（図２６−図２８参照）とを連携する連携部９２と、を有している。
図１１−図１３に示すように、連携部９２は、回動部６Ｂの内部に配置され、可動部８２の連結部８３１と連結された牽引部材９３と、操作レバー９１と連結された操作ロッド９４と、操作ロッド９４に取り付けられて牽引部材９３が連結されるカム９５と、を有している。
【０１２４】
操作レバー９１は、幅方向の一方側の回動部６Ｂよりもさらに幅方向の一方側に間隔をあけて配置されている。
図３４および図３５に示すように、操作レバー９１の幅方向の他方側に、保護壁部９６が隣接して設けられている。
保護壁部９６は、壁面が幅方向を向き前後方向に延びる壁体で、天板本体３１の下側に取り付けられている。保護壁部９６には、幅方向に貫通する孔部９６１が形成され、孔部９６１に操作ロッド９４が挿通されている。
【０１２５】
図１８に示すように、操作ロッド９４は、丸棒状の部材で、幅方向に延びる向きに設置されている。操作ロッド９４は、幅方向の一方側の回動部６Ｂおよびカバー部３２Ｂを貫通し、幅方向の他方側の回動部６Ｂおよびカバー部３２Ｂの内部に幅方向の他方側の端部が挿入されている。操作ロッド９４は、カバー部３２Ｂに形成された切り欠き部３２１ａ、および回動部６Ｂに形成された第２孔部６２４Ｂ，６３４Ｂから回動部６Ｂおよびカバー部３２Ｂの内部に挿入されている。
【０１２６】
操作ロッド９４は、幅方向の一方側の端部が幅方向の一方側の回動部６Ｂよりも幅方向の一方側に突出し、保護壁部９６を貫通して操作レバー９１と連結されている。操作レバー９１は、使用者が上側に押すことで、操作ロッド９４をその軸線回りに回動させるように構成されている。操作レバー９１は、天板本体３１に直接固定されておらず、操作ロッド９４と連結されることで天板本体３１の下側に配置されている。
図３４および図３５に示すように、操作レバー９１の下端面９１ａは、保護壁部９６の下端面９６ａとほぼ同じ高さに配置されている。また、操作レバー９１の前端部９１ｂは、保護壁部９６の前端部９６ｂと前後方向にほぼ同じ位置し配置されている、操作レバー９１の後端部９１ｃは、保護壁部９６の後端部９６ｃよりも前側に配置されている。
【０１２７】
図２８に示すように、カム９５は、２つの回動部６Ｂそれぞれの内部において、操作ロッド９４に取り付けられている。カム９５は、板面がその板面に沿った位置の方向の一方の端部側が他方の端部側よりも幅広となるしずく形の板状の部材で、一方の端部側の幅広部９５１に操作ロッド９４が貫通し、他方の端部側の幅狭部９５２に牽引部材９３が連結されている。
カム９５と操作ロッド９４とは固定され、相対回転しないように構成されている。カム９５は、幅広部９５１が幅狭部９５２よりも前側に配置されている。
牽引部材９３は、棒状の部材で、前後方向に延びる向きで２つの回動部６Ｂそれぞれの内部に配置されている。牽引部材９３は、後端部が可動部８２の連結部８３１に幅方向に延びる軸線回りに回動可能に連結され、前端部がカム９５の幅狭部９５２に幅方向に延びる軸線回りに回動可能に連結されている。
【０１２８】
図２８に示す操作レバー９１が操作されていない状態から、図３６に示すように、操作レバー９１が操作されて操作ロッド９４が回動すると、カム９５の幅狭部９５２が下側かつ前側に移動するように回動し、カム９５の幅狭部９５２に連結された牽引部材９３が前側かつ下側に引っ張られる。牽引部材９３は、カム９５の幅狭部９５２に回動可能に連結されているため、カム９５の幅狭部９５２が下側かつ前側に移動するように回動したとしても、カム９５の回動軸回りには回動せず、前後方向に延びた姿勢のままと前側に移動する。なお、牽引部材９３は、カム９５の回動によって若干下側に移動する。
そして、牽引部材９３が前側に移動することにより、可動部８２が前側に移動する。可動部８２は、固定板部８６に沿って前側に移動する。なお、第２姿勢では、操作レバー９１が操作されると可動部８２が上側に移動する。
【０１２９】
可動部８２が前側に移動すると、係合部材８５が前側に移動する。第１姿勢で側壁部５２Ｂの切り欠き部５２１Ｂに係合している係合部材８５が前側に移動すると、係合部材８５が切り欠き部５２１Ｂから抜け出るため、天板３が回動可能な状態となる。
なお、第２姿勢で可動部８２が上側に移動すると、係合部材８５は上側に移動するが、第２姿勢のでは第１姿勢のように係合部材８５が係止されていないため、係合部材８５が移動することによって解除される係止機構はない。
【０１３０】
可動部８２が前側に移動すると、第２ピン押さえ部８４が前側に移動する。第２ピン押さえ部８４は、固定部８１の第１規制部８７に対して前側に移動するため、突出ピン８４２が第１規制部８７の突出ピンガイド面８７１ｇ，８７２ｇに沿って移動するため、後部側が下側に回動するように構成されている。このとき、第２ピン押さえ部８４は、固定板部の開口部に配置されるため、固定板部と干渉することはない。
第２姿勢では、可動部８２が上側に移動すると、第２ピン押さえ部８４は、前側に回動することになる。第２姿勢では、操作レバー９１が操作されていないと、第２ピン押さえ部８４は、後側に向かって回動するように第２ピン７３を押圧しているため、操作レバー９１が操作されて第２ピン押さえ部８４が前側に回動すると、第２ピン押さえ部８４は第２ピン７３と離間する。
【０１３１】
可動部８２が前側に移動すると、移動惹起部８３が前側に移動する。
第２姿勢において、図３８に示す操作レバー９１が操作されていない状態から図３９に示す操作レバー９１が操作された状態となると、移動惹起部８３が上側に移動し、移動惹起部８３が規制溝部６４２Ｂに挿入されたリンク部７Ｂの第２ピン７３を下側から当接する。図３８−図４０は、図２７と幅方向の反対側から見た断面図となっている。
このとき、図４０に示すように、第２ピン７３には、移動惹起部８３の第２ピン当接面８３４ｂが当接されるため、第２ピン当接面８３４ｂが上側に移動することで、第２ピン７３は、上側かつ後側に押され、上側かつ後側に移動しようとする。このとき、第２ピン押さえ部８４は、前側に回動して第２ピン７３と離間していて、第２ピン７３を押圧していないため、第２ピン７３は、上側かつ後側に移動可能となり、規制溝部６４２Ｂからガイド溝部６４１Ｂに移動する。これにより、天板３が回動な状態となる。
なお、第１姿勢で可動部８２が前側に移動すると、移動惹起部８３は前側に移動するが、リンク部７Ｂの第２ピン７３は、ガイド溝部６４１Ｂの前端部近傍に配置されているため、移動惹起部８３が第２ピン７３を押すことはない。
【０１３２】
天板３を、第１姿勢から第２姿勢とするには、図３６に示すように、操作レバー９１を操作し、可動部８２を前側に移動させる。これにより、係合部材８５が脚部２の側壁部５２Ｂの切り欠き部５２１Ｂから抜け出し、天板３が回動可能な状態となる。
第１姿勢の天板３の前端部を上方に持ち上げるようにして天板３を回動させる。天板３が回動すると、係合部材８５は側壁部５２Ｂの前側円弧面５２５と対向する。このため、操作レバー９１操作が解除されると、係合部材８５は後側に移動しようとするが、前側円弧面５２５に沿って移動するため前側に移動した状態に維持される。さらに天板３が回動すると、係合部材８５は前側円弧面５２５から離れるため、操作レバー９１操作が解除されていると後側（第２姿勢では下側）に移動して復元される。
【０１３３】
天板３が回動し、回動部６Ｂが回動すると、リンク部７Ｂは、第２軸部５４を中心に回動する。リンク部７の第２ピン７３は、第２軸部５４を中心に回動し、第２回動板部６２Ｂの溝部６４Ｂを前側（第１姿勢第２ピン位置６４３Ｂ、図２６参照）から後側（規制溝部６４２Ｂが形成されている側）に向かって移動する。
まず、天板３が第１姿勢から第２姿勢に向かって回動して、リンク部７Ｂの第２ピン７３がガイド溝部６４１Ｂに沿って後側（規制溝部６４２Ｂに向かう側）に移動すると、第２ピン７３は、第２ピン押さえ部８４と当接する。このとき、第２ピン７３は、第２ピン押さえ部本体８４１の前縁部８４１ｅに前側から当接し、ガイド溝部６４１Ｂに沿って後側に移動しようとすることで第２ピン押さえ部本体８４１の前縁部８４１ｅを後側に押す。これにより、第２ピン押さえ部８４は、ばね８４５を弾性変形させて下側に回動し、ガイド溝部６４１Ｂへの突出（幅方向から見てガイド溝部６４１Ｂと重なる部分）が小さくなる。その結果、第２ピン７３が第２ピン押さえ部本体８４１の前縁部８４１ｅおよび上縁部８４１ｄを押しながらガイド溝部６４１Ｂに沿ってさらに後方に移動可能となる。
このとき、ガイド溝部６４１Ｂは、第１姿勢における前側が第１姿勢における後側よりも上側となる略上下方向に延びた状態となっている。ここからは、ガイド溝部６４１Ｂの第１姿勢における前側を上側とし、第１姿勢における後側を下側として説明する。
【０１３４】
図２２に示すように、天板３の回動により、第２ピン７３がさらに下方に移動してガイド溝部６４１Ｂと規制溝部６４２Ｂとの境界部分に位置すると、第２ピン７３は、第２ピン押さえ部本体８４１の上縁部８４１ｄと上側後縁部８４１ｃとの角部８４１ｆに当接する。このとき、第２ピン押さえ部８４は、ばね８４５の復元力により、上縁部８４１ｄと上側後縁部８４１ｃとの角部８４１ｆが前側に向かうように回動軸部８４３回りに回動しようとする。これにより、図２３に示すように、第２ピン７３は、第２ピン押さえ部８４の角部８４１ｆに押されて前側に位置する規制溝部６４２Ｂに挿入される。
第２ピン７３は、規制溝部６４２Ｂに挿入されると前側の斜め上方に第２ピン押さえ部８４が配置され、第２ピン押さえ部８４の角部８４１ｆが当接しているため、規制溝部６４２Ｂから抜け出ないように構成されている。その結果、リンク部７Ｂの第２ピン７３が規制溝部６４２Ｂに係止された状態に拘束され、天板３が第２姿勢に維持される。
【０１３５】
第２ピン７３が規制溝部６４２Ｂに挿入されると、第２ピン押さえ部８４の回動軸部８４３の軸心と、第２ピン７３と当接する第２ピン押さえ部本体８４１の角部８４１ｆとを結ぶ直線上に第２ピン７３の軸心が配置されている。また、第２ピン押さえ部８４の回動軸部８４３の軸心と、第２ピン７３と当接する第２ピン押さえ部本体８４１の角部８４１ｆとを結ぶ直線は、規制溝部６４２Ｂがガイド溝部６４１Ｂから突出する方向と略一致している。
これにより、第２姿勢の天板３を第１姿勢にしようとする外力によって、第２ピン７３を規制溝部６４２Ｂからガイド溝部６４１Ｂに移動させる方向のモーメントが生じた際に、第２ピン７３から第２ピン押さえ部８４に作用する力は、第２ピン押さえ部８４の回動軸部８４３に向かう方向であるため、第２ピン押さえ部８４が回動して第２ピン７３が移動することが防止される。
【０１３６】
第２姿勢となると、リンク部７Ｂの第１接続板部７１１は、第１カバー下板部３２６の下側に隣接し、カバー下方開口部３２５の上部側（第１姿勢における前部側）を覆っている。第１接続板部７１１の上端部（第１姿勢における前端部）は、第２回動板部６２Ｂおよび第３回動板部６３Ｂの第２切り欠き部６２３Ｂ，６３３Ｂに入っていて、第１カバー下板部３２６の下端部よりも後側に位置している。
【０１３７】
天板３を、第２姿勢から第１姿勢とするには、図３９に示すように、操作レバー９１を上側に移動させ、可動部８２を上側に移動させる。これにより、移動惹起部８３および第２ピン押さえ部８４が上側に移動する。
第２ピン押さえ部８４は上側に移動することで、第２ピン７３と離間するとともに前側に回動してガイド溝部６４１Ｂへ突出する部分（幅方向から見てガイド溝部６４１Ｂと重なる部分）が小さくなる。
移動惹起部８３は上側に移動することで、第２ピン当接面８３４ｂが規制溝部６４２Ｂに挿入されたリンク部７Ｂの第２ピン７３に下側から当接し、第２ピン７３を上側に移動させる。上側に向かって押された第２ピン７３は、規制溝部６４２Ｂに沿って移動することになるため、規制溝部６４２Ｂを上側かつ前側に移動する。
【０１３８】
このとき、第２ピン押さえ部８４は、第２ピン７３と離間していて、第２ピン７３を押圧していないため、第２ピン７３は、上側かつ前側に移動でき、規制溝部６４２Ｂからガイド溝部６４１Ｂに移動する。これにより、天板３が回動可能となる。
このとき、リンク部７Ｂの上端部（第２ピン７３が設けられている側の端部）が第２ピン７３の移動によって上側かつ前側に移動するため、リンク部７Ｂの第１接続板部７１１が上側かつ前側に移動し、上端部が第２回動板部６２Ｂおよび第３回動板部６３Ｂの第２切り欠き部６２３Ｂ，６３３Ｂから出て、第１カバー下板部３２６の下端部よりも前側に位置した状態となる。
【０１３９】
天板３をその上端部が前側かつ下側に移動するように回動させる。
リンク部７Ｂは、天板３が回動して回動部６Ｂが回動移動することで第２軸部５４を中心に回動し、第２ピン７３がガイド溝部６４１Ｂを下側（後側）から上側（前側）に向かって移動する。このとき、リンク部７Ｂの第１接続板部７１１は、上端部が第１カバー下板部３２６の下端部よりも前側に位置した状態となっているため。第１接続板部は、第１カバー下板部３２６の前面（第１姿勢における下面）に沿って移動する。天板３が第１姿勢となると、リンク部７Ｂの第１接続板部７１１は、第１カバー下板部３２６の下側に重なって配置され、前端部が第１カバー下板部３２６と第２カバー下板部３２７との接続部分の下側に配置される。
天板３が第１姿勢となると、第２ピン７３は、ガイド溝部６４１Ｂの前端部近傍に配置される。
【０１４０】
天板３が第２姿勢から第１姿勢となる際に係合部材８５は、側壁部５２Ｂの前側円弧面５２５と当接し、前側円弧面５２５に沿って回動する。係合部材８５は、後側（下側）に付勢されていて前側に押されると前側に移動可能であるため、前側円弧面５２５に押されて前側に移動する、そして、天板３が第１姿勢となると、係合部材８５は前側円弧面５２５から離れ、切り欠き部５２１Ｂの前側に配置されるため、後側に移動し、切り欠き部５２１Ｂの内部に挿入される。
これにより、天板３の回動が拘束され、天板３が第１姿勢に維持される。
【０１４１】
第２実施形態による什器１Ｂでは、第１実施形態による什器１Ａと同様の効果を奏する。
また、天板本体３１の下面３１ａに操作レバー９１に隣接して回動部６Ｂとは別体の保護壁部９６が設けられていることにより、天板３の下方においてワゴンや椅子などの他の什器を移動させたり、使用者が手足を動かしたりした際に、他の什器や使用者の手足が保護壁部９６と接触することで、他の什器や使用者の手足が意図せずに操作レバー９１に接触して操作レバー９１が操作されることを抑制することができる。
【０１４２】
また、電源コンセント３３の配線３５が支持部５Ｂに設けられた第１配線保持部３６に保持され脚柱部２２に案内されていることにより、配線３５を脚柱部２２の上端部から下側に沿わせるように設置することができる。このため、配線３５が天板３から垂れ下がることがないとともに、天板３が回動し配線が移動した際に生じる配線３５の弛みを最小限に抑えることができるため、配線３５が天板３と脚部２とに挟まれることを防止することができる。
【０１４３】
また、第２実施形態による天板付き什器１は、第２姿勢となると、カバー下方開口部３２５をリンク部７の接続部７１Ｂが塞ぐため、第１カバー下板部３２６および接続部７１Ｂによって回動部６Ｂの内部に設けられた係止部８の露出を防止することができる。
【０１４４】
また、第２実施形態による什器１Ｂは、移動惹起部８３が規制溝部６４２Ｂに挿入された第２ピン７３を規制溝部６４２Ｂが延びる方向と異なる前後方向の前側に直接押しながらガイド溝部６４１Ｂへ移動させる構成であるため、リンク部７Ｂを回動させながら第２ピン７３を規制溝部６４２Ｂに沿わせてガイド溝部６４１Ｂへ移動させる場合と比べて、第２ピン７３の規制溝部６４２Ｂからガイド溝部６４１Ｂへの移動を操作性良く行うことができる。
【０１４５】
以上、本発明による什器の実施形態について説明したが、本発明は上記の実施形態に限定されるものではなく、その趣旨を逸脱しない範囲で適宜変更可能である。
例えば、上記の実施形態では、什器１はテーブルであるが、脚部２（支持体）に対して回動可能に設けられた座部（回動体）有する椅子や、回動式のテーブルが設けられた椅子おけるテーブルであってもよい。
【０１４６】
また、上記の実施形態では、ガイド部６１は、延設方向に沿って延び、リンク部７の第２ピン７３が挿入されて延設方向に移動可能なガイド溝部６４５が設けられているが、ガイド溝部６４５に代わってガイドレールなどが設けられていてもよい。
また、上記の実施形態では、天板３が第１姿勢となった際に、天板３の回動を規制する第２ロック部６９が設けられているが、設けられていなくてもよい。また、第２ロック部６９の形態は上記以外であってもよい。
また、上記の実施形態では、天板３が第２姿勢となった際に、操作部６２の第１突出部６６６がリンク部７の第２ピン７３を係止してリンク部７の延設方向の移動を規制するように構成されているが、リンク部７の移動を規制する機構は上記以外であってもよい。
また、上記の実施形態では、回動部６（天板３）のフレーム部６３には、第１姿勢となるとリンク部７およびガイド部６１を収容する横枠溝部６３３ａが形成されているが、第１姿勢となった際にリンク部７およびガイド部６１が露出していてもよい。
【符号の説明】
【０１４７】
１，１Ｂ  什器
２  脚部（支持体）
３  天板（回動体）
４，４Ｂ  回動機構
５，５Ｂ  支持部
６，６Ｂ  回動部
７，７Ｂ  リンク部
５３  第１軸部
５４  第２軸部
６１  ガイド部
６４  溝部
６４Ｂ  溝部（ガイド部）
６９  第２ロック部
７２  第１ピン（一端）
７３  第２ピン（他端）
８４  第２ピン押さえ部（第１ロック部、規制係止部）
５２２  当接面
５３１  軸線
５４１  軸線
６３３ａ  横枠溝部（収容部）
６４５，６４１Ｂ  ガイド溝部
６４５ａ  前端部（第１端）
６４６，６４２Ｂ  規制溝部（第２端）
６６６  第１突出部（第１ロック部、規制係止部）
【図１】
2020069331.tif 000003
【図２】
2020069331.tif 000004
【図３】
2020069331.tif 000005
【図４】
2020069331.tif 000006
【図５】
2020069331.tif 000007
【図６】
2020069331.tif 000008
【図７】
2020069331.tif 000009
【図８】
2020069331.tif 000010
【図９】
2020069331.tif 000011
【図１０】
2020069331.tif 000012
【図１１】
2020069331.tif 000013
【図１２】
2020069331.tif 000014
【図１３】
2020069331.tif 000015
【図１４】
2020069331.tif 000016
【図１５】
2020069331.tif 000017
【図１６】
2020069331.tif 000018
【図１７】
2020069331.tif 000019
【図１８】
2020069331.tif 000020
【図１９】
2020069331.tif 000021
【図２０】
2020069331.tif 000022
【図２１】
2020069331.tif 000023
【図２２】
2020069331.tif 000024
【図２３】
2020069331.tif 000025
【図２４】
2020069331.tif 000026
【図２５】
2020069331.tif 000027
【図２６】
2020069331.tif 000028
【図２７】
2020069331.tif 000029
【図２８】
2020069331.tif 000030
【図２９】
2020069331.tif 000031
【図３０】
2020069331.tif 000032
【図３１】
2020069331.tif 000033
【図３２】
2020069331.tif 000034
【図３３】
2020069331.tif 000035
【図３４】
2020069331.tif 000036
【図３５】
2020069331.tif 000037
【図３６】
2020069331.tif 000038
【図３７】
2020069331.tif 000039
【図３８】
2020069331.tif 000040
【図３９】
2020069331.tif 000041
【図４０】
2020069331.tif 000042